(57)【要約】【課題】電力ケーブルの外部半導電層を削り取る作業を行う際の作業者の労力をより低減することができ、作業効率の更なる向上を図ることが可能な外導削り機の駆動ユニットを提供することを目的とする。【解決手段】本発明にかかる外導削り機の駆動ユニット１００の構成は、電力ケーブル１０の外部半導電層１８を削り取る外導削り機２００を回転させる外導削り機の駆動ユニット１００であって、電力ケーブル１０を通す穴を有する円環状の支持ベース１１０と、支持ベース１１０に取り付けられ電動ドリルを接続可能な入力シャフト１１６と、入力シャフト１１６から入力された動力によって回転する円環状の回転ベース１２０と、回転ベース１２０に取り付けられ外導削り機２００を把持するクランプ１２６と、支持ベース１１０に取り付けられ回転の半径方向外側に伸びるハンドル１１８と、を備えたことを特徴とする。【選択図】  図２
2020162257.tif 000002
【特許請求の範囲】
【請求項１】
電力ケーブルの外部半導電層を削り取る外導削り機を回転させる外導削り機の駆動ユニットであって、
前記電力ケーブルを通す穴を有する円環状の支持ベースと、
前記支持ベースに取り付けられ電動ドリルを接続可能な入力シャフトと、
前記入力シャフトから入力された動力によって回転する円環状の回転ベースと、
前記回転ベースに取り付けられ前記外導削り機を把持するクランプと、
前記支持ベースに取り付けられ回転の半径方向外側に伸びるハンドルと、
を備えたことを特徴とする外導削り機の駆動ユニット。
【請求項２】
前記入力シャフトの軸は回転方向に対して垂直であることを特徴とする請求項１に記載の外導削り機の駆動ユニット。
【発明の詳細な説明】
【技術分野】
【０００１】
本発明は、電力ケーブルの外部半導電層を削り取る外導削り機を回転させる外導削り機の駆動ユニットに関する。
【背景技術】
【０００２】
電力ケーブルは、導体が内部半導電層によって被覆され、内部半導電層は絶縁層によって被覆される。そして、絶縁層は更に外部半導電層によって被覆される。電力ケーブルを接続する際には、この外部半導電層を削り取る処理が行われ、その処理に用いる工具として例えば特許文献１の外導削り機を用いることができる。
【先行技術文献】
【特許文献】
【０００３】
【特許文献１】特許４２８３７７８号
【発明の概要】
【発明が解決しようとする課題】
【０００４】
特許文献１の外導削り機を用いることにより、ナイフやガラス片、或いはノコギリのような道具を用いて削り取り作業を行う場合に比して、作業効率を格段に高めることが可能であった。しかしながら、特許文献１の外導削り機を用いて削り取り作業を行う際には、かかる外導削り機を回転させ続ける必要がある。このため、作業者の労力をより低減するべく、更なる改善が求められていた。
【０００５】
本発明は、このような課題に鑑み、電力ケーブルの外部半導電層を削り取る作業を行う際の作業者の労力をより低減することができ、作業効率の更なる向上を図ることが可能な外導削り機の駆動ユニットを提供することを目的としている。
【課題を解決するための手段】
【０００６】
上記課題を解決するために、本発明にかかる外導削り機の駆動ユニットの代表的な構成は、電力ケーブルの外部半導電層を削り取る外導削り機を回転させる外導削り機の駆動ユニットであって、電力ケーブルを通す穴を有する円環状の支持ベースと、支持ベースに取り付けられ電動ドリルを接続可能な入力シャフトと、入力シャフトから入力された動力によって回転する円環状の回転ベースと、回転ベースに取り付けられ外導削り機を把持するクランプと、支持ベースに取り付けられ回転の半径方向外側に伸びるハンドルと、を備えたことを特徴とする。なお、「電動ドリル」は、インパクトドライバやインパクトレンチなど、同種の電動工具を含む。
【０００７】
上記構成によれば、入力シャフトに接続された電動ドリルの回転を駆動力として回転ベースが回転することで、外導削り機が自動で回転する。これにより、電力ケーブルの外部半導電層を削り取る作業を行う際の作業者の労力をより低減することができ、作業効率の更なる向上を図ることが可能となる。このとき、支持ベースのハンドルを作業者が把持することにより、回転ベースひいては外導削り機が回転する際の支持ベースの回転や振動を低減することができる。したがって、上述した効果を高めることが可能となる。
【０００８】
上記入力シャフトの軸は回転方向に対して垂直であるとよい。かかる構成によれば、１人の作業者がハンドルを把持した状態で電動ドリルを把持することができる。したがって、１人の作業者で外部半導電層を削り取る作業を行うことができ、人的コストを削減可能となる。また入力シャフトの軸が回転方向に対して垂直であることにより、回転ベースの内部に配置される歯車として平歯車を用いることができる。したがって、電動ドリルの駆動力を回転ベースに効率的に伝達することが可能となる。
【発明の効果】
【０００９】
本発明によれば、電力ケーブルの外部半導電層を削り取る作業を行う際の作業者の労力をより低減することができ、作業効率の更なる向上を図ることが可能な外導削り機の駆動ユニットを提供することができる。
【図面の簡単な説明】
【００１０】
【図１】本実施形態にかかる外導削り機の駆動ユニットの全体斜視図である。
【図２】本実施形態にかかる外導削り機の駆動ユニットの全体斜視図である。
【図３】本実施形態にかかる外導削り機の駆動ユニットの全体斜視図である。
【図４】外導削り機を説明する図である。
【図５】本実施形態の駆動ユニットの実施態様図である。
【図６】駆動ユニットの使用時のフック近傍の拡大図である。
【発明を実施するための形態】
【００１１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
図１、図２および図３は、本実施形態にかかる外導削り機の駆動ユニット（以下、駆動ユニット１００と称する）の全体斜視図である。図１は、駆動ユニット１００を前方から観察した状態を示す図である。図２は、駆動ユニット１００を後方から観察した状態を示す図である。図３は、支持ベース１１０のカバー１１４を取り外した状態を示す図である。
【００１３】
図１―３に示す駆動ユニット１００は、後述する電力ケーブルの外部半導電層を削り取る外導削り機を回転させるための装置である。図１に示すように、駆動ユニット１００は、支持ベース１１０および回転ベース１２０を含んで構成される。
【００１４】
図１および図２（ａ）に示すように支持ベース１１０は、後述する電力ケーブルを通す穴１１２ａを有する円環状の環状部１１２を有し、環状部１１２にはカバー１１４が取り付けられている。また図１に示すように、支持ベース１１０には、電動ドリル（不図示）を接続可能な入力シャフト１１６を備えている。入力シャフト１１６の軸は回転方向に対して垂直（電力ケーブルと平行）である。また支持ベース１１０には、回転の半径方向外側に伸びるハンドル１１８が取り付けられている。なお、「電動ドリル」は、インパクトドライバやインパクトレンチなど、同種の電動工具を含む。
【００１５】
図３に示すように、回転ベース１２０は、円環状の部位であり、クランプ固定部１２２を有する。クランプ固定部１２２は、支持ベース１１０の入力シャフト１１６から入力された電動ドリルの動力によって回転する。詳細には、回転ベース１２０には、回転歯車１２４が設けられていて、この回転歯車１２４には、入力シャフト１１６のシャフト歯車１１６ａが噛み合う。これにより、電動ドリルの動力によってシャフト歯車１１６ａが回転すると、それに伴って回転歯車１２４ひいてはクランプ固定部１２２が回転する。
【００１６】
図２（ａ）に示すように、クランプ１２６は、回転ベース１２０のクランプ固定部１２２に取り付けられ、後述する外導削り機２００（図４参照）を把持する。図２（ｂ）に示すようにクランプ固定部１２２が回転することにより、そこに取り付けられたクランプ１２６も回転する。またクランプ１２６には、外導削り機２００によって削り取られた電力ケーブルの外部半導電層１８の削り片１８ａが引っかけられるフック１２８が設けられている。
【００１７】
図４は、外導削り機２００を説明する図である。図４（ａ）は、外導削り機２００の全体斜視図であり、図４（ｂ）は、外導削り機２００による外部半導電層の削り取りを説明する図である。図４（ｂ）に示すように、電力ケーブル１０では、導体１２が内部半導電層１４によって被覆され、内部半導電層１４は絶縁層１６によって被覆されている。そして、絶縁層１６は更に外部半導電層１８によって被覆される。本実施形態では、この外部半導電層１８を外導削り機２００によって削り取る。
【００１８】
図４（ａ）に示すように、外導削り機２００は、上フレーム２１０および下フレーム２２０を有する。上フレーム２１０および下フレーム２２０には、ローラ２１２・２２２がそれぞれ固定されている。また上フレーム２１０および下フレーム２２０には、それぞれハンドル２１４・２２４がそれぞれ接続されている。更に、上フレーム２１０には切削刃２３０が取り付けられている。
【００１９】
外導削り機２００によって電力ケーブル１０の外部半導電層１８を削り取る際には、作業者は、まず調節ネジ２４２によって上フレーム２１０および下フレーム２２０の間隔を広げ、複数のローラ２１２・２２２の中心部に電力ケーブル１０を挿入する。次に、調節ネジ２４２を調節して、上フレーム２１０および下フレーム２２０の間隔を狭め、ローラを電力ケーブル１０の絶縁層１６が露出されているケーブル切断面近傍にある外部半導電層１８の外周面に当接させる。
【００２０】
その後、調節ノブ２４４によって、外部半導電層１８の厚み全てを削り取れる刃の深さに切削刃２３０を下げ、ハンドル２１４・２２４を把持して外導削り機２００を回転させる。これにより、電力ケーブル１０の外部半導電層１８が切削刃２３０によって削り取られる。このとき作業員は、外部半導電層１８を所望の範囲まで削り取る間、外導削り機２００を回転させ続ける必要がある。その労力を軽減するために、図１−３に示す本実施形態の駆動ユニット１００を外導削り機２００に取り付ける。
【００２１】
図５は、本実施形態の駆動ユニット１００の実施態様図である。図４（ｂ）に示すように外導削り機２００を電力ケーブル１０に取り付けたら、外導削り機２００を回転させることにより一部の外部半導電層１８を削り取った後、駆動ユニット１００を外導削り機２００に取り付ける。その際には、まず回転ベース１２０に設けられたクランプ１２６を外導削り機２００の上フレーム２１０および下フレーム２２０に取り付ける。そして、上下の調整部材１３０を回転させながらクランプ１２６を締め付け、図５（ａ）に示すようにクランプ１２６によって上フレーム２１０および下フレーム２２０を挟持する。
【００２２】
次に、支持ベース１１０の入力シャフト１１６に電動ドリル（不図示）を接続し、電動ドリルを駆動する。これにより、電動ドリルの回転によって入力シャフト１１６のシャフト歯車１１６ａ、ひいては回転ベース１２０の回転歯車１２４（図３参照）が回転する。それに伴って、回転ベース１２０のクランプ１２６に挟持されている外導削り機２００が回転し、切削刃２３０によって外部半導電層１８が削り取られる。
【００２３】
上記説明したように、本実施形態の駆動ユニット１００によれば、入力シャフト１１６に接続された電動ドリルの回転を駆動力として回転ベース１２０が回転し、その回転によって外導削り機２００が自動で回転する。これにより、電力ケーブル１０の外部半導電層１８を削り取る作業を行う際の作業者の労力をより低減することができ、作業効率の向上を図ることが可能となる。
【００２４】
特に本実施形態の駆動ユニット１００では、支持ベース１１０にハンドル１１８が設けられている。これにより、削り取り作業を行う際に作業者がハンドル１１８を把持することにより、回転ベース１２０ひいては外導削り機２００が回転する際の支持ベース１１０の回転や振動を低減することができる。したがって、上述した効果を高めることが可能となる。
【００２５】
また本実施形態の駆動ユニット１００では、図５（ｂ）に示すように、入力シャフト１１６の軸は回転方向に対して垂直である。これにより、１人の作業者がハンドル１１８を把持した状態で電動ドリルを把持することができる。したがって、１人の作業者で外部半導電層１８を削り取る作業を行うことができ、人的コストを削減可能となる。
【００２６】
更に、入力シャフト１１６の軸が回転方向に対して垂直であることにより、回転ベース１２０の内部に配置される歯車（回転歯車１２４）として、図３に示すように平歯車を用いることができる。これにより、電動ドリルの駆動力を回転ベース１２０に効率的に伝達することが可能となる。
【００２７】
図６は、駆動ユニット１００の使用時のフック１２８近傍の拡大図である。上述したように本実施形態の駆動ユニット１００では、回転ベース１２０のクランプ１２６にフック１２８を設けている。外導削り機２００を回転させることにより一部の外部半導電層１８を削り取ったら、削り取った削り片１８ａをフック１２８に引っ掛けて、削り片１８ａの先端を電力ケーブル１０に仮止めする。これにより、削り取られた削り片１８ａを電力ケーブル１０に自動的に巻き付けることができる。したがって、削り片１８ａを持っておく人員が必要なくなり、１人での作業が可能となる。
【００２８】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２９】
本発明は、電力ケーブルの外部半導電層を削り取る外導削り機を回転させる外導削り機の駆動ユニットに利用することができる。
【符号の説明】
【００３０】
１０…電力ケーブル、１２…導体、１４…内部半導電層、１６…絶縁層、１８…外部半導電層、１８ａ…削り片、１００…駆動ユニット、１１０…支持ベース、１１２…環状部、１１４…カバー、１１６…入力シャフト、１１６ａ…シャフト歯車、１１８…ハンドル、１２０…回転ベース、１２２…クランプ固定部、１２４…回転歯車、１２６…クランプ、１２８…フック、１３０…調整部材、２００…外導削り機、２１０…上フレーム、２１２…ローラ、２１４…ハンドル、２２０…下フレーム、２２２…ローラ、２２４…ハンドル、２３０…切削刃、２４２…調節ネジ、２４４…調節ノブ
【図１】
2020162257.tif 000003
【図２】
2020162257.tif 000004
【図３】
2020162257.tif 000005
【図４】
2020162257.tif 000006
【図５】
2020162257.tif 000007
【図６】
2020162257.tif 000008